(57)【特許請求の範囲】
【請求項１】
１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみでサウンディング用参照信号を送信することを示す送信スロット情報が対応付けられた通知情報とを受信する受信手段と、
受信した前記通知情報に対応する前記周波数ホッピングフラグ及び前記送信スロット情報に基づいて、前記サウンディング用参照信号をマッピングするマッピング手段と、
マッピングされた前記サウンディング用参照信号を送信する送信手段と、
を具備する端末装置。
【請求項２】
前記周波数ホッピングを行わずに、かつ、前記１つのサブフレーム内の全てのスロットでサウンディング用参照信号を送信する場合、マッピングされた前記サウンディング用参照信号の送信電力を所定値分下げる送信電力制御手段を具備する請求項１に記載の端末装置。
【請求項３】
前記所定値は、チャネル変動速度が速い場合には低く設定され、前記チャネル変動速度が遅い場合には高く設定される請求項２に記載の端末装置。
【請求項４】
複数の送信アンテナを具備し、
前記受信手段は、前記複数の送信アンテナ毎に１つのサブフレーム内の１つのスロットを用い、かつ、前記複数の送信アンテナ間で異なるスロットを用いて前記サウンディング用参照信号を送信することを示す送信スロット情報が対応付けられた通知情報を記憶する請求項１に記載の端末装置。
【請求項５】
前記複数の送信アンテナ毎に１つのサブフレーム内の１つのスロットが用いられ、かつ、前記複数の送信アンテナ間で異なるスロットが用いられる場合、前記サウンディング用参照信号に用いる予め定められた巡回シフト量を前記複数の送信アンテナ間で入れ替えて設定する巡回シフト量設定手段を具備する請求項４に記載の端末装置。
【請求項６】
１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみでサウンディング用参照信号を送信することを示す送信スロット情報が対応付けられた通知情報とを受信する受信手段と、
前記通知情報に対応する前記周波数ホッピングフラグ及び前記送信スロット情報に基づいて、端末装置から受信した受信信号に含まれるサウンディング用参照信号を抽出する抽出手段と、
を具備する基地局装置。
【請求項７】
端末装置が、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみで前記サウンディング用参照信号を送信することを示す送信スロット情報が対応付けられた通知情報とを、基地局装置から受信し、
受信した前記通知情報に対応する前記周波数ホッピングフラグ及び前記送信スロット情報に基づいて、前記サウンディング用参照信号を前記基地局装置に送信する、
無線通信方法。
【請求項８】
基地局装置が、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみで前記サウンディング用参照信号を送信することを示す送信スロット情報が対応付けられた通知情報とを、端末装置から受信し、
前記通知情報に対応する前記周波数ホッピングフラグ及び前記送信スロット情報に基づいて、前記端末装置から受信した受信信号に含まれるサウンディング用参照信号を抽出する、
無線通信方法。
【発明の詳細な説明】
【技術分野】
【０００１】
本発明は、参照信号の送受信を行う無線通信端末装置、無線通信基地局装置及び無線通信方法に関する。
【背景技術】
【０００２】
３ＧＰＰ ＬＴＥ（3rd Generation Partnership Project Long Term Evolution）の発展形であるＬＴＥ−Ａｄｖａｎｃｅｄの上り回線では、端末の複数アンテナ送信（ＳＵ−ＭＩＭＯ（Single User-Multiple Input Multiple Output））のサポートが検討されている。ＳＵ−ＭＩＭＯは、１つの端末が同一時刻かつ同一周波数に複数のアンテナポートからデータ信号を送信し、データ信号を空間上で仮想的な通信路（ストリーム）を用いて空間多重する技術である。【０００３】
ＳＵ−ＭＩＭＯによる性能改善効果を得るためには、基地局は、参照信号の１つであるサウンディングリファレンスシグナル（以下、「ＳＲＳ（Sounding Reference Signal）」という）を用いて、端末の各アンテナからの伝搬路（チャネル）状況を知る必要があり、このため、端末はＳＲＳを各アンテナから送信しなければならない。なお、サウンディングとは、端末と基地局間の伝搬路品質を推定すること意味する。【０００４】
ＬＴＥのＳＲＳは、上り回線データチャネルのチャネル品質を推定するために、サブフレームの末尾のシンボルにデータと時間多重され、送信される。【０００５】
ＬＴＥでは、送信アンテナが１本のため、ＳＲＳは端末に１つのＳＲＳを送信するだけであったが、ＬＴＥ−Ａｄｖａｎｃｅｄにおいて、端末がＮ本のアンテナを有するようになれば、ＳＲＳ送信に因るオーバーヘッドがＮ倍に増加し、ＳＲＳ領域が不足することが懸念される。【０００６】
そこで、単位時間当たりにセル内で送信可能なＳＲＳ数、すなわち、ＳＲＳキャパシティを改善する方法として、データ復調用参照信号（以下、「ＤＭＲＳ（DeModulationReference Signal）という」向けの符号リソースを利用する方法が知られている（非特許文献１参照）。【０００７】
非特許文献１には、基地局が端末に対して、上り回線向けスケジューリング情報（ＵＬグラント（UL Grant）とも呼ばれる）を利用してＳＲＳ送信を指示することが開示されている。基地局からのスケジューリング情報によって送信が促されるＳＲＳをスケジュールドＳＲＳ（Scheduled SRS）と呼ぶ。ここで、図１にＬＴＥのデータ信号の送信指示を行うＵＬグラントで通知される情報を示す。ＵＬグラントには、スロット間の周波数ホッピングの有無を指示するＦＨフラグ（Hopping flag）や、ＤＭＲＳ用の巡回シフト量（以下、「ＣＳ（Cyclic shift for DMRS）量」という）等を示す所定のビット数が含まれる。【０００８】
端末は、基地局からＵＬグラントによって、ＳＲＳ送信が指示されると、ＰＵＳＣＨ（Physical Uplink Shared CHannel）におけるＤＭＲＳが配置されるべきＳＣ−ＦＤＭＡ（Single Carrier-Frequency Division Multiple Access）シンボルにおいてＳＲＳを送信する。ＤＭＲＳは、図２に示すように、データ信号のスケジューリング単位である１サブフレーム（２スロット構成）の各スロットの中央シンボルを用いて送信される。ここで、ＤＭＲＳとＳＲＳはともに、同一の系列（ＺＣ（Zadoff-Chu）系列）を巡回シフトした巡回シフト系列を用いた信号である。よって、ＳＲＳは、ＤＭＲＳと異なるＣＳ量を用いてＤＭＲＳと同一帯域に符号多重することができる。【０００９】
このため、ＬＴＥのＳＲＳは、１サブフレームの末尾シンボルのみで送信する仕様であったが、さらに、スロットの中央シンボル（ＤＭＲＳシンボル位置）でもＳＲＳを送信できるので、ＳＲＳキャパシティを向上させることができる。【００１０】
ここで、ＤＭＲＳ用のＵＬグラントに含まれるＦＨフラグは、スケジュールドＳＲＳに対しても適用できる。すなわち、ＦＨフラグがＦＨを行うこと（ＦＨあり）を示す場合、スロット１，２の２つの帯域でＳＲＳを送信できるので、複数帯域のチャネル品質を測定できる利点がある。また、ＦＨフラグがＦＨを行わないこと（ＦＨなし）を示す場合、スロット１，２の同一帯域のＳＲＳを平均化し、干渉の影響を低減（ランダム化）できる利点がある。また、スロット１，２の同一帯域のＳＲＳにウォルシュ（Walsh）系列を乗算することで、異なる帯域幅のＤＭＲＳとの多重が可能になる利点もある。
【先行技術文献】
【非特許文献】
【００１１】
【非特許文献１】R1-094707, Huawei,“Increasing SRS capacity to support UL MIMO”
【発明の概要】
【発明が解決しようとする課題】
【００１２】
上述したように、ＦＨあり又はＦＨなしの場合において、１つの端末がＳＲＳをスロット１及びスロット２で送信することが考えられる。さらに、１つの端末が一方のスロットだけでＳＲＳを送信することにより、端末当たりのＳＲＳ送信リソースの消費が抑えられる利点があるため、ＳＲＳをスロット１又はスロット２のいずれかだけで送信することも考えられる。つまり、図３に示すように、ＳＲＳを送信するスロットが端末間で異なるように１つのサブフレーム内で多重されることにより、単位時間当たりでＳＲＳを送信できる端末数を増やすことができる。【００１３】
しかしながら、基地局が、セル内の各端末のＳＲＳ用送信スロットを動的に切り替えるには、ＵＬグラントにＳＲＳ用送信スロット情報を新たに追加する必要がある。これにより、ＵＬグラントのサイズ（シグナリングビット数）が増加してしまうという問題がある。つまり、基地局が１つの端末に対して、「スロット１のみで送信」、「スロット２のみで送信」、「スロット１、２の両方で送信」の３パターンを送信スロット情報として指示するためには、ＵＬグラントに２ビット追加することが必要である。よって、上述したＦＨフラグ（１ビット）に加えて送信スロット情報（２ビット）がさらに必要である。【００１４】
本発明の目的は、シグナリングビット数の増加を抑制しつつ、セル内の各端末のＳＲＳ用送信スロットを動的に切り替える無線通信端末装置、無線通信基地局装置及び無線通信方法を提供することである。
【課題を解決するための手段】
【００１５】
本発明の端末装置は、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみでサウンディング用参照信号を送信することを示す送信スロット情報が対応付けられた通知情報とを記憶する参照信号送信制御手段と、前記通知情報を受信する受信手段と、受信した前記通知情報に対応する前記周波数ホッピングフラグ及び前記送信スロット情報に基づいて、前記サウンディング用参照信号をマッピングするマッピング手段と、マッピングされた前記サウンディング用参照信号を送信する送信手段と、を具備する構成を採る。【００１６】
本発明の基地局装置は、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみでサウンディング用参照信号を送信することを示す送信スロット情報が対応付けられた通知情報とを記憶する参照信号送信制御手段と、前記通知情報に対応する前記周波数ホッピングフラグ及び前記送信スロット情報に基づいて、端末装置から受信した受信信号に含まれるサウンディング用参照信号を抽出する抽出手段と、を具備する構成を採る。【００１７】
本発明の無線通信方法は、端末装置が、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみで前記サウンディング用参照信号を送信することを示す送信スロット情報が対応付けられた通知情報とを記憶し、基地局装置から前記通知情報を受信し、受信した前記通知情報に対応する前記周波数ホッピングフラグ及び前記送信スロット情報に基づいて、前記サウンディング用参照信号を前記基地局装置に送信する、構成を採る。【００１８】
本発明の無線通信方法は、基地局装置が、１つのサブフレーム内の全てのスロットでサウンディング用参照信号を送信することを示す送信スロット情報と、スロット間の周波数ホッピングを行うか否かを示す周波数ホッピングフラグとが対応付けられた通知情報と、１つのサブフレーム内の１つのスロットのみで前記サウンディング用参照信号を送信することを示す送信スロット情報が対応付けられた通知情報とを記憶し、前記通知情報に対応する前記周波数ホッピングフラグ及び前記送信スロット情報に基づいて、端末装置から受信した受信信号に含まれるサウンディング用参照信号を抽出する、構成を採る。
【発明の効果】
【００１９】
本発明によれば、シグナリングビット数の増加を抑制しつつ、セル内の各端末のＳＲＳ用送信スロットを動的に切り替えることができる。
【図面の簡単な説明】
【００２０】
【図１】ＬＴＥにおけるデータ信号送信の指示を行うＵＬグラントによって通知される情報を示す図
【図２】スロットの中央シンボルにＤＭＲＳとＳＲＳを配置する様子を示す図
【図３】ＳＲＳを送信するスロットが端末間で異なるように１つのサブフレーム内で多重される様子を示す図
【図４】本発明の実施の形態１に係る無線通信端末装置の構成を示すブロック図
【図５】本発明の実施の形態１に係る無線通信基地局装置の構成を示すブロック図
【図６】本発明の実施の形態１に係るＳＲＳ用のＦＨフラグと各スロットの送信電力情報とを通知ビットに対応づけた様子を示す図
【図７Ａ】ＦＨありの場合においてサブフレーム内の１つのスロットのみでＳＲＳを送信する様子を示す図
【図７Ｂ】ＦＨなしの場合においてサブフレーム内の１つのスロットのみでＳＲＳを送信する様子を示す図
【図８】本発明の実施の形態１に係るＳＲＳ用のＦＨフラグと各スロットの送信電力情報とを通知ビットに対応づけた他の様子を示す図
【図９】本発明の実施の形態２、３に係る端末の構成を示すブロック図
【図１０】本発明の実施の形態２、３に係る基地局の構成を示すブロック図
【図１１】本発明の実施の形態２に係るＳＲＳ用のＦＨフラグと各スロットの送信電力情報とを通知ビットに対応づけた様子を示す図
【図１２】本発明の実施の形態２に係るＳＲＳ用のＦＨフラグと各スロットの送信電力情報とを通知ビットに対応づけた他の様子を示す図
【図１３】アンテナ毎及びスロット毎に巡回シフト量を設定する様子を示す図
【図１４】アンテナ当たり１つのＳＲＳを１つのサブフレーム内で送信する場合における、アンテナ毎及びスロット毎に巡回シフト量を設定する様子を示す図
【図１５】従来の巡回シフト量設定方法に基づき、複数の端末に巡回シフト量を設定した様子を示す図
【図１６】本発明の実施の形態３に係る巡回シフト量設定方法を示す図
【図１７】本発明の実施の形態３に係る巡回シフト量設定方法に基づき、複数の端末に巡回シフト量を設定した様子を示す図
【発明を実施するための形態】
【００２１】
以下、本発明の実施の形態について、図面を参照して詳細に説明する。ただし、実施の形態において、同一機能を有する構成には、同一符号を付し、重複する説明は省略する。
【００２２】
（実施の形態１）
図４は、本発明の実施の形態１に係る無線通信端末装置（以下、「端末」という）１００の構成を示すブロック図である。以下、図４を用いて端末の構成について説明する。
【００２３】
受信ＲＦ部１０２は、アンテナ１０１を介して、無線通信基地局装置（以下、「基地局」という）から送信された信号を受信し、受信信号にダウンコンバート、Ａ／Ｄ変換等の受信処理を施して復調部１０３に出力する。復調部１０３は、受信ＲＦ部１０２から出力された受信信号から上り回線向けスケジューリング情報（ＵＬグラント）を復調し、復調されたスケジューリング情報をスケジューリング情報復号部１０４に出力する。
【００２４】
スケジューリング情報復号部１０４は、復調部１０３から出力されたスケジューリング情報を復号し、巡回シフト量設定部１０５、ＳＲＳ送信制御部１０６及びマッピング部１０９に出力する。なお、スケジューリング情報には、図１に示したような、スロット間周波数ホッピングフラグ（Hopping flag）、参照信号用ＣＳ量通知情報（Cyclic shift for DMRS）、周波数リソース割当情報（RB assignment）、データサイズ（MCS+RV）、パワコン情報（PUSCH TPC）等が含まれる。
【００２５】
巡回シフト量設定部１０５は、スケジューリング情報復号部１０４から出力されたスケジューリング情報に含まれる参照信号用ＣＳ量通知情報からＲＳ（Reference Signal：参照信号）用系列の巡回シフト量を取得し、取得した巡回シフト量を位相回転部１０８に出力する。
【００２６】
ＳＲＳ送信制御部１０６は、スケジューリング情報復号部１０４から出力されたスケジューリング情報に含まれる通知ビットを取得し、通知ビットに予め対応付けられたＳＲＳ用のＦＨフラグと各スロットのＳＲＳ送信電力情報（ＳＲＳ用送信スロット情報に相当）とを求める。ＳＲＳ送信制御部１０６は、求めたＦＨフラグをマッピング部１０９に出力し、求めた各スロットのＳＲＳ送信電力情報（具体的には、「スロット１のみで送信」、「スロット２のみで送信」、「スロット１、２の両方で送信」のいずれかの情報）を送信電力制御部１１２に出力する。なお、ＳＲＳ送信制御部１０６の詳細については後述する。
【００２７】
ＲＳ生成部１０７は、ＲＳ用系列（例えば、ＺＣ（Zadoff-Chu）系列）を生成し、生成したＲＳ用系列を位相回転部１０８に出力する。
【００２８】
位相回転部１０８は、巡回シフト量設定部１０５から出力された巡回シフト量に基づいて、時間領域での巡回シフト量に相当する位相回転をＲＳ生成部１０７から出力されたＲＳ用系列の各サンプルに施し、位相回転処理されたＲＳ用系列をマッピング部１０９に出力する。ここで、ＲＳ用系列は、ＲＳ用系列の各サンプルがサブキャリアに割り当てられるため、周波数領域の信号である。周波数領域での位相回転処理は、時間領域での巡回シフト処理と等価である。
【００２９】
マッピング部１０９は、スケジューリング情報復号部１０４から出力されたスケジューリング情報に含まれる周波数リソース割当情報と、ＳＲＳ送信制御部１０６から出力されたＦＨフラグとに基づいて、位相回転部１０８から出力されたＲＳ用系列を各スロットの周波数リソースにマッピングする。具体的には、ＦＨフラグがＦＨなしを示す場合、マッピング部１０９は、周波数リソース割当情報によって示されるスロット１及びスロット２の周波数帯域（周波数リソース）にＲＳ用系列をマッピングする。一方、ＦＨフラグがＦＨありを示す場合、マッピング部１０９は、周波数リソース割当情報によって示されるスロット１の周波数帯域にＲＳ用系列をマッピングし、周波数リソース割当情報によって示されるスロット２の周波数帯域に予めシステムで定義された周波数リソースホッピング量を加えた周波数帯域に、ＲＳ用系列をマッピングする。マッピング部１０９は、周波数帯域にＲＳ用系列がマッピングされた信号をＩＦＦＴ（Inverse Fast Fourier Transform）部１１０に出力する。
【００３０】
ＩＦＦＴ部１１０は、マッピング部１０９から出力された信号にＩＦＦＴ処理を施し、ＩＦＦＴ処理を施した信号をＣＰ（Cyclic Prefix）付加部１１１に出力する。ＣＰ付加部１１１は、ＩＦＦＴ部１１０から出力された信号の後尾部分と同じ信号をＣＰとして信号の先頭に付加し、ＣＰを付加した信号を送信電力制御部１１２に出力する。
【００３１】
送信電力制御部１１２は、ＳＲＳ送信制御部１０６から出力された各スロットのＳＲＳ送信電力情報に従って、ＣＰ付加部１１１から出力された信号の送信電力を設定し、送信電力を設定した信号を送信ＲＦ部１１３に出力する。具体的には、ＳＲＳを送信するスロットには、予め基地局から指示された所定の送信電力（＝Ｐ）を設定し、ＳＲＳを送信しないスロットには、送信電力を０に設定する。
【００３２】
送信ＲＦ部１１３は、送信電力制御部１１２から出力された信号にＤ／Ａ変換、アップコンバート、増幅等の送信処理を施し、送信処理を施した信号をＳＲＳとして、アンテナ１０１を介して送信する。
【００３３】
図５は、本発明の実施の形態１に係る無線通信基地局装置（以下、「基地局」という）２００の構成を示すブロック図である。以下、図５を用いて基地局２００の構成について説明する。
【００３４】
受信ＲＦ部２０２は、アンテナ２０１を介して受信した信号にダウンコンバート、Ａ／Ｄ変換等の受信処理を施し、受信処理を施した受信信号をＣＰ除去部２０３に出力する。ＣＰ除去部２０３は、受信ＲＦ部２０２から出力された受信信号の先頭に付加されたＣＰを除去し、ＣＰを除去した受信信号をＦＦＴ（Fast Fourier Transform）部２０４に出力する。
【００３５】
ＦＦＴ部２０４は、ＣＰ除去部２０３から出力された受信信号にＦＦＴ処理を施して周波数領域の信号に変換し、周波数領域に変換した信号をデマッピング部２０８に出力する。
【００３６】
スケジューリング情報保持部２０５は、端末１００に通知した上り回線向けスケジューリング情報を保持し、受信する所望端末のスケジューリング情報をＳＲＳ送信制御部２０６、巡回シフト量設定部２０７及びデマッピング部２０８に出力する。
【００３７】
ＳＲＳ送信制御部２０６は、スケジューリング情報保持部２０５から所望端末に送信した通知ビットを取得し、通知ビットに予め対応付けられたＦＨフラグと各スロットのＳＲＳ送信電力情報（ＳＲＳ用送信スロット情報に相当）とを求める。ＳＲＳ送信制御部２０６は、求めたＦＨフラグの情報をデマッピング部２０８に出力し、求めたＦＨフラグの情報及びＳＲＳ送信電力情報を合成部２１０に出力する。
【００３８】
巡回シフト量設定部２０７は、スケジューリング情報保持部２０５から出力されたスケジューリング情報に含まれる参照信号用ＣＳ量通知情報から所望端末の巡回シフト量を取得し、取得した巡回シフト量をチャネル推定部２０９に出力する。
【００３９】
デマッピング部２０８は、スケジューリング情報保持部２０５から出力されたスケジューリング情報に含まれる所望端末の周波数リソース割当情報及びＳＲＳ送信制御部２０６から出力されたＦＨフラグの情報に基づいて、ＦＦＴ部２０４から出力された周波数領域の信号から、スロット１及びスロット２における所望端末の送信帯域に対応するＳＲＳ信号を抽出し、スロット１及びスロット２において抽出したＳＲＳ信号をチャネル推定部２０９に出力する。なお、デマッピング部２０８は抽出手段として機能する。
【００４０】
チャネル推定部２０９は、スロット１及びスロット２において、デマッピング部２０８から出力されたＳＲＳ信号から送受信間で既知であるＲＳ用系列を複素除算して、周波数領域における相関信号を求める。さらに、チャネル推定部２０９は、周波数領域における相関信号にＩＤＦＴ処理を施すことで時間領域の相関信号（遅延プロファイル）を算出する。この遅延プロファイルには複数端末のＳＲＳ信号（参照信号）が含まれている。チャネル推定部２０９は、巡回シフト量設定部２０７から出力された所望端末の巡回シフト量を用いて、算出された遅延プロファイルから所望端末の巡回シフト量に相当する相関信号（端末の信号が含まれる時間領域）以外をマスクすることにより、所望端末のチャネル推定値を抽出する。チャネル推定部２０９は、スロット１及びスロット２において抽出した所望端末のチャネル推定値を合成部２１０に出力する。
【００４１】
合成部２１０は、ＳＲＳ送信制御部２０６から出力されたＦＨフラグの情報及びＳＲＳ送信電力情報に基づいて、チャネル推定部２０９から出力されたスロット１及びスロット２のチャネル推定値を合成する。ＦＨフラグの情報がＦＨなしを示す場合において、スロット１及びスロット２でＳＲＳが送信されていれば、合成部２１０は、スロット１及びスロット２のチャネル推定値を合成する。具体的には、合成部２１０は、想定されるスロット１とスロット２間のチャネル変動の大きさに応じて、電力合成と同相合成とを切り替える。つまり、チャネル変動が大きいときに合成部２１０が電力合成を行うことで、干渉の影響がランダム化される。チャネル変動が小さいときに合成部２１０が同相合成を行うことで、受信ＳＮＲ（推定精度）が改善される。一方、ＦＨフラグの情報がＦＨありを示す場合、離れたＳＲＳ送信帯域間のチャネル品質は異なるため、合成部２１０は、スロット１及びスロット２のチャネル推定値の合成を行わない。つまり、合成部２１０は、２つのチャネル推定値（スロット１及びスロット２のＳＲＳ送信帯域におけるチャネル推定値）をそのまま出力する。また、ＳＲＳが送信されないスロットがある場合、合成部２１０は、スロット１及びスロット２のチャネル推定値を合成しない。
【００４２】
次に、上述した端末１００のＳＲＳ送信制御部１０６の動作について説明する。なお、基地局２００のＳＲＳ送信制御部２０６もＳＲＳ送信制御部１０６と同様の動作を行うので、ここでは、この説明は省略する。
【００４３】
ＳＲＳ送信制御部１０６は、図６に示すように、ＳＲＳ用のＦＨフラグと各スロットのＳＲＳ送信電力情報とが２ビットの通知ビットに対応づけられたテーブルを備える。ＳＲＳ送信制御部１０６は、スケジューリング情報復号部１０４から出力されたスケジューリング情報に含まれる通知ビットに対応するＦＨフラグの情報とＳＲＳ送信電力情報とをテーブルから取得する。
【００４４】
ここで、図６におけるＰは、予め基地局から指示された所定の送信電力を示し、例えば、式（１）に示すＬＴＥで用いられるＳＲＳの送信電力の式によって求められる。
Ｐ＝Ｐｏｆｆｓｅｔ＋Ｐ０＋１０・ｌｏｇ（Ｍ）＋α・ＰＬ＋ｆ  …（１）
【００４５】
式（１）において、Ｐｏｆｆｓｅｔ、Ｐ０、αは、基地局が端末へ指示するパラメータであり、Ｍは割当周波数リソースブロック数、ＰＬは端末が測定したパスロスレベルである。また、ｆはクローズドループ制御される送信電力制御値であり、過去の送信電力制御値を含めた加算結果である。
【００４６】
図６に示すように、サブフレーム内の全てのスロット（本実施の形態においては、スロット１及びスロット２）でＳＲＳが送信される場合には、ＦＨフラグが対応付けられ（ＦＨフラグが“ＦＨあり”あるいは“ＦＨなし”に設定される）、サブフレーム内の１つのスロット（スロット１又はスロット２）のみでＳＲＳが送信される場合には、ＦＨフラグが対応付けられない（ＦＨフラグが“−”またはＮＵＬＬなどに設定される）。なお、この対応づけは、予めシステム毎、または、基地局毎に定められ、基地局と端末との間で共有しておく。
【００４７】
このように、サブフレーム内の１つのスロット（スロット１又はスロット２）のみでＳＲＳを送信する場合に、ＦＨフラグが対応付けられない理由は、図７に示すように、ＦＨありの場合（図７Ａ）でも、ＦＨなしの場合（図７Ｂ）でも、一方のスロットでＳＲＳを送信すると他方のスロットでＳＲＳを送信しないため、ＦＨという概念そのものが用をなさなくなるからである。
【００４８】
これにより、通知ビットは２ビットとなり、ＦＨフラグ（１ビット）と送信スロット情報（２ビット）とを独立で通知する場合と比較して、通知ビット数が１ビット低減することができる。
【００４９】
次に、ＳＲＳの送信電力について説明する。特に、ＦＨなしの場合で、スロット１及びスロット２でＳＲＳを送信する場合のＳＲＳ送信電力について説明する。この場合、必要な精度で１つの帯域におけるチャネル品質を推定するには、送信電力が過剰になることがある。
【００５０】
受信側でスロット１とスロット２のＳＲＳを同相合成してチャネル品質を推定する（受信ＳＮＲを測定する）と雑音成分が低減できるため、１スロットのみのＳＲＳで測定した受信ＳＮＲと比べて最大３ｄＢ、ＳＮＲが改善することができる。そのため、受信ＳＮＲの改善分だけ端末は送信電力を下げても、必要な精度でチャネル品質を推定することができる。よって、ＦＨなしで、スロット１及びスロット２でＳＲＳを送信する場合に、その他の条件と同様の送信電力でＳＲＳを送信すると送信電力が過剰となり、端末の消費電力が浪費してしまう。
【００５１】
ここで、スロット１とスロット２のＳＲＳを同相合成することによるＳＮＲの改善量は、端末のチャネル変動量（移動速度）に依存する。端末の移動速度が遅い場合は、スロット１とスロット２間のチャネル変動が小さく、スロット１とスロット２とのチャネル品質がほぼ同じになるため、同相合成によってＳＮＲが約３ｄＢ改善する効果が期待できる。一方、端末の移動速度が速い場合は、スロット１とスロット２間のチャネル変動も速くなり、スロット１とスロット２とのチャネル品質は異なるので、同相合成による改善の効果は期待できない。この場合には、電力合成を行うことによって、雑音の影響をランダム化（平均化）させるとよい。
【００５２】
よって、ＦＨなしの場合で、スロット１及びスロット２でＳＲＳを送信する場合に、常に端末がＳＲＳの送信電力を３ｄＢ下げると、同相加算による効果が得られない受信側において、チャネル推定精度が劣化してしまう。
【００５３】
そこで、ＦＨなしの場合で、スロット１及びスロット２でＳＲＳを送信する場合に、端末は変数ΔＰ（基地局が予め端末に設定するパラメータ）だけＳＲＳの送信電力を下げる。つまり、基地局（受信側）がスロット１のＳＲＳとスロット２のＳＲＳとを同相合成することで得られるＳＮＲ改善量をΔＰとして各端末へ通知することで、端末は適切な送信電力でＳＲＳを送信することができる。例えば、チャネル変動が速い端末（高速移動端末）はΔＰ＝０、それ以外の端末（低速移動端末）はΔＰ＝３ｄＢを設定しておく。なお、ΔＰは端末単位ではなく、セル単位（セル内の全端末共通）で設定されてもよい。また基地局の設置場所（高速移動端末が多く存在する環境か、低速移動端末が多く存在する環境か）によってΔＰはセル毎に設定されてもよい。
【００５４】
この場合、ＳＲＳ送信制御部１０６は、図８に示すように、ＳＲＳ用のＦＨフラグと各スロットのＳＲＳ送信電力情報とが対応づけられた通知ビット２ビットを用いて、ＦＨフラグの情報とＳＲＳ送信電力情報とを得る。ＦＨなしの場合で、スロット１及びスロット２でＳＲＳを送信する場合のみ、ＳＲＳ送信制御部１０６は、式（２）のようにΔＰを考慮してＳＲＳの送信電力を設定する。
Ｐ＝Ｐｏｆｆｓｅｔ＋Ｐ０＋１０・ｌｏｇ（Ｍ）＋α・ＰＬ＋ｆ−ΔＰ  …（２）
【００５５】
このように実施の形態１によれば、ＳＲＳ用のＦＨフラグと各スロットのＳＲＳ送信電力情報とを２ビットの通知ビットに対応付けることにより、シグナリングビット数の増加を抑制しながら、一方のスロットのみにＳＲＳ送信を指示することができ、セル内の各端末のＳＲＳの送信スロットを動的に切り替えることができる。
【００５６】
また、ＦＨなしの場合で、サブフレーム内の全てのスロットでＳＲＳを送信する場合には、変数ΔＰ（基地局が設定する所定のパラメータ）だけＳＲＳの送信電力を下げることにより、端末の消費電力を低減することができる。
【００５７】
なお、ＳＲＳ用のＵＬグラントが、従来のＰＵＳＣＨ（ＤＭＲＳ）用のＵＬグラントを再利用する場合には、ＳＲＳ送信とＰＵＳＣＨ（ＤＭＲＳ）送信のいずれであるかを区別する情報が必要となる。例えば、図１のデータサイズを示すパラメータである「ＭＣＳ＋ＲＶ」を用いることが考えられる。このパラメータにおいて、データサイズを０にすることで、ＳＲＳの送信を指示することができ、データサイズが０以外では、ＰＵＳＣＨ（ＤＭＲＳ）送信を指示することができる。
【００５８】
また、ＵＬグラントに含まれる、ＳＲＳ送信には必要ない情報、例えば、図１のＮＤＩ（New Data Indicator：初回パケットか再送パケットかを示すフラグ）を実施の形態で示すＦＨフラグとＳＲＳ送信電力情報（ＳＲＳ用送信スロット情報）として利用すればよい。つまり、ＳＲＳ送信の場合、ＦＨフラグ（１ビット）とＮＤＩ（１ビット）の２ビットを、図６又は図８に示す通知ビット２ビットに読み変えることにより、従来のＰＵＳＣＨのＵＬグラントを再利用することができる。
【００５９】
（実施の形態２）
図９は、本発明の実施の形態２に係る端末３００の構成を示すブロック図である。ただし、図９は図４に対して、アンテナを１本追加し、それに伴い１アンテナ分の送信処理を追加した点が異なる。以下、実施の形態１とは異なる機能を有する構成について説明する。
【００６０】
巡回シフト量設定部３０１は、スケジューリング情報復号部１０４から出力されたスケジューリング情報に含まれるアンテナ毎の参照信号用ＣＳ量通知情報から、各アンテナから送信されるＲＳ用系列の巡回シフト量を取得し、取得した巡回シフト量を送信処理部３０４−１、３０４−２の各位相回転部１０８に出力する。
【００６１】
ＳＲＳ送信制御部３０２は、スケジューリング情報復号部１０４から出力されたスケジューリング情報に含まれるアンテナ毎のＳＲＳ用のＦＨフラグと各スロットのＳＲＳ送信電力情報（ＳＲＳ用送信スロット情報に相当）とを含む情報を取得する。ＳＲＳ送信制御部３０２は、取得したＦＨフラグを送信処理部３０４−１、３０４−２の各マッピング部１０９に出力し、取得した各スロットのＳＲＳ送信電力情報を送信処理部３０４−１、３０４−２の送信電力制御部３０５に出力する。なお、ＳＲＳ送信制御部３０２の詳細については後述する。
【００６２】
ＲＳ生成部３０３は、ＲＳ用系列（例えば、ＺＣ系列）を生成し、生成したＲＳ用系列をアンテナ毎に設けられた送信処理部３０４−１、３０４−２の各位相回転部１０８に出力する。
【００６３】
位相回転部１０８、マッピング部１０９、ＩＦＦＴ部１１０及びＣＰ付加部１１１は、実施の形態１と同様に機能し、送信処理部３０４として包括され、送信処理部３０４がアンテナ毎に設けられる。
【００６４】
送信電力制御部３０５は、ＳＲＳ送信制御部３０２から出力される、アンテナ毎の各スロットのＳＲＳ送信電力情報に従って、送信処理部３０４−１、３０４−２の各ＣＰ付加部１１１から出力された信号の送信電力を設定し、送信電力を設定した各信号をそれぞれ送信ＲＦ部３０６−１、３０６−２に出力する。具体的には、送信電力制御部３０５は、ＳＲＳを送信するスロットに、予め基地局から指示された所定の送信電力（＝Ｐ）を設定し、ＳＲＳを送信しないスロットに、送信電力を０に設定する。
【００６５】
図１０は、本発明の実施の形態２に係る基地局４００の構成を示すブロック図である。ただし、図１０は図５に対して、アンテナを１本追加し、それに伴い１アンテナ分の受信処理を追加した点が異なる。以下、実施の形態１とは異なる機能を有する構成について説明する。
【００６６】
受信ＲＦ部２０２、ＣＰ除去部２０３、ＦＦＴ部２０４、デマッピング部２０８及びチャネル推定部２０９は、実施の形態１と同様に機能し、受信処理部４０１として包括され、受信処理部４０１がアンテナ毎に設けられる。
【００６７】
スケジューリング情報保持部４０２は、端末３００に通知した上り回線向けスケジューリング情報を保持し、受信する所望端末のスケジューリング情報を受信処理部４０１−１、４０１−２の各デマッピング部２０８、ＳＲＳ送信制御部４０３及び巡回シフト量設定部４０４に出力する。
【００６８】
ＳＲＳ送信制御部４０３は、スケジューリング情報保持部４０２から所望端末に送信した通知ビットを取得し、通知ビットに予め対応付けられたアンテナ毎のＦＨフラグと各スロットのＳＲＳ送信電力情報（ＳＲＳ用送信スロット情報に相当）とを求める。ＳＲＳ送信制御部２０６は、求めたＦＨフラグの情報を受信処理部４０１−１、４０１−２の各デマッピング部２０８に出力し、求めたＦＨフラグの情報及びＳＲＳ送信電力情報を合成部４０５に出力する。
【００６９】
巡回シフト量設定部４０４は、スケジューリング情報保持部４０２から出力されたスケジューリング情報に含まれる参照信号用ＣＳ量通知情報から所望端末のアンテナ毎の巡回シフト量を取得し、取得したアンテナ毎の巡回シフト量を受信処理部４０１−１、４０１−２の各チャネル推定部２０９に出力する。
【００７０】
合成部４０５は、ＳＲＳ送信制御部４０３から出力されたＦＨフラグの情報及びＳＲＳ送信電力情報に応じて、受信処理部４０１−１、４０１−２の各チャネル推定部２０９から出力された所望端末のアンテナ毎のスロット１及びスロット２のチャネル推定値を合成する。ＦＨフラグの情報がＦＨなしを示す場合において、スロット１及びスロット２でＳＲＳが送信されていれば、合成部４０５は、スロット１及びスロット２のチャネル推定値をアンテナ毎に合成する。一方、ＦＨフラグの情報がＦＨありを示す場合、離れたＳＲＳ送信帯域間のチャネル品質が異なるため、合成部４０５は、スロット１及びスロット２のチャネル推定値の合成を行わない。つまり、合成部４０５は、２つのチャネル推定値（スロット１及びスロット２のＳＲＳ送信帯域におけるチャネル推定値）をそのまま出力する。また、各アンテナにおいてＳＲＳが送信されないスロットがある場合は、合成部４０５は、スロット１及びスロット２のチャネル推定値を合成しない。
【００７１】
ここで、送信アンテナ数＝２の場合、送信アンテナ数＝１の場合と比較してＳＲＳの送信パターンが増加するので、通知ビット数も増加してしまう。送信アンテナ数＝２の場合、アンテナ当たり１つのＳＲＳを送信する（スロット１又はスロット２のいずれかでＳＲＳを送信する）パターンだけで下記に示す４パターンがあり、さらに、スロット１，２ともにＳＲＳを送信するパターン５を含めると、送信電力情報として５パターンがある。この結果、通知ビットとして３ビットの通知ビットが必要になる。ただし、下記のＰはＳＲＳを送信すること、０はＳＲＳを送信しないことを示す。
【００７２】
パターン１：
（スロット１、スロット２）＝アンテナ＃１（Ｐ、０）、アンテナ＃２（Ｐ、０）
パターン２：
（スロット１、スロット２）＝アンテナ＃１（０、Ｐ）、アンテナ＃２（０、Ｐ）
パターン３：
（スロット１、スロット２）＝アンテナ＃１（Ｐ、０）、アンテナ＃２（０、Ｐ）
パターン４：
（スロット１、スロット２）＝アンテナ＃１（０、Ｐ）、アンテナ＃２（Ｐ、０）
パターン５：
（スロット１、スロット２）＝アンテナ＃１（Ｐ、Ｐ）、アンテナ＃２（Ｐ、Ｐ）
【００７３】
ところで、ＬＴＥ−Ａｄｖａｎｃｅｄシステムでは、端末が複数アンテナで信号を同時送信する場合、各アンテナの送信電力の合計が、予め定められた最大送信電力を超えてはならないという規定がある。そのため、複数アンテナで同時送信する上記パターン１及び２は、パターン３及び４と比較して、アンテナ当たりの最大送信電力が制限されるという欠点があるので、上記パターン１及び２の使用用途は少ないと考えられる。そこで、アンテナ当たり１つのＳＲＳを１つのサブフレーム内で送信する場合は、端末はパターン１及び２を使わずに、パターン３及び４を使えばよい。
【００７４】
また、パターン５については、上述したように、ＦＨありにすることで、スロット１及びスロット２の２つの帯域でＳＲＳを送信できるので、各アンテナで複数の帯域のチャネル品質を測定できる利点がある。また、ＦＨなしに設定し、各アンテナのスロット１及びスロット２の同一帯域のＳＲＳを平均化することで、干渉の影響が低減（ランダム化）できる利点があるので、パターン５の使用用途はある。パターン５は、複数アンテナからＳＲＳを同時送信することで最大送信電力が制限されるが、主に送信電力に余力があるセル中心付近の端末がパターン５を設定すれば、電力制限の影響はない。複数アンテナからＳＲＳを同時送信することで、ＭＩＭＯ送信時の端末のＲＡＮＫ情報（空間多重数）及び空間多重するためのＰＭＩ（Precoding Matrix Indicator）情報を適切に更新することができる。
【００７５】
次に、上述した端末３００のＳＲＳ送信制御部３０２の動作について説明する。なお、基地局４００のＳＲＳ送信制御部４０３もＳＲＳ送信制御部３０２と同様の動作を行うので、ここでは、この説明は省略する。
【００７６】
ＳＲＳ送信制御部３０２は、図１１に示すように、ＳＲＳ用のＦＨフラグと各スロットのＳＲＳ送信電力情報とが２ビットの通知ビットに対応づけられたテーブルを備える。ＳＲＳ送信制御部３０２は、スケジューリング情報復号部１０４から出力されたスケジューリング情報に含まれる通知ビットに対応するＦＨフラグの情報とＳＲＳ送信電力情報とをテーブルから取得する。
【００７７】
１つのスロットのみでＳＲＳを送信する場合、図１１の通知ビット“０１”と“１０”に示される送信パターンは、ＳＲＳを送信するアンテナをスロット間で入れ替える送信パターンとすることで、端末はアンテナ当たり１つのＳＲＳを送信する。これにより、上述したように最大送信電力の制限を受けずに、端末はアンテナ当たり１つのＳＲＳを送信することができる。
【００７８】
以上により、通知ビットは送信アンテナ＝１の場合と同じ２ビットとなり、ＦＨフラグ（１ビット）とＳＲＳ送信スロット情報（３ビット）とを独立で通知する場合と比較して、通知ビット数を２ビット低減することができる。
【００７９】
また、送信アンテナ数が１と２で、通知ビット数は変わらないので、端末の送信アンテナ数に応じて送信電力情報を読み変えることにより、同一のＵＬグラント（制御チャネル）を利用することができる。
【００８０】
このように実施の形態２によれば、端末の送信アンテナ数が２本の場合、ＳＲＳ用のＦＨフラグと各スロットのＳＲＳ送信電力情報とを２ビットの通知ビットに対応付けることにより、シグナリングビット数の増加を抑制しながら、アンテナ毎に一方のスロットのみにＳＲＳ送信を指示することができ、セル内の各端末のＳＲＳの送信スロットを動的に切り替えることができる。
【００８１】
なお、送信アンテナ数が２本より多い場合は、２スロットで構成される１サブフレーム内では各アンテナのＳＲＳを送信することができないため、端末はサブフレームを分けて送信すればよい。例えば、送信アンテナ数が４本（アンテナ＃１〜＃４とする）の場合、端末は、アンテナ＃１，＃２のＳＲＳを１つのサブフレームで上述したように送信し、アンテナ＃３，４のＳＲＳを別のサブフレームで同じく上述したように送信すればよい。
【００８２】
また、図１２に示すように、ＦＨなしの場合で、スロット１及びスロット２でＳＲＳを送信する場合のみ、ＳＲＳ送信制御部３０５は、ΔＰ（基地局が予め端末に設定するパラメータ）だけＳＲＳの送信電力を下げてもよい。
【００８３】
（実施の形態３）
本発明の実施の形態３に係る端末及び基地局の構成は、実施の形態２に示した図９及び図１０の構成と同様であり、巡回シフト量設定部の機能が異なるのみなので、図９及び図１０を援用して、巡回シフト量設定部について説明する。なお、端末の巡回シフト量設定部と基地局の巡回シフト量設定部は同様の動作を行うので、ここでは、端末の巡回シフト量設定部についてのみ説明する。
【００８４】
ここでは、ＬＴＥの巡回シフト量の設定方法を単純拡張した方法を前提とする。まず、アンテナ＃Ｎのスロット＃Ｍで送信するＳＲＳ用の巡回シフト量をＣＳＡｎｔ＃Ｎ、Ｓｌｏｔ＃Ｍと表すと、ＣＳＡｎｔ＃Ｎ、Ｓｌｏｔ＃Ｍは以下のように設定される。ただし、スロット２で用いる巡回シフト量は、スロット１で用いる巡回シフト量に所定のオフセット（＝ΔＣＳ）を加えた巡回シフト量を用いる。また、アンテナ２で用いる巡回シフト量は、アンテナ１で用いる巡回シフト量に所定のオフセット（＝Ｏｆｆｓｅｔ）を加えた巡回シフト量を用いる（図１３参照）。
【００８５】
ＣＳＡｎｔ＃１、Ｓｌｏｔ＃１＝ＵＬグラントで通知する巡回シフト量（＝ＣＳ）
ＣＳＡｎｔ＃２、Ｓｌｏｔ＃１＝ＣＳ＋Ｏｆｆｓｅｔ
ＣＳＡｎｔ＃１、Ｓｌｏｔ＃２＝ＣＳ＋ΔＣＳ
ＣＳＡｎｔ＃２、Ｓｌｏｔ＃２＝ＣＳ＋ΔＣＳ＋Ｏｆｆｓｅｔ
【００８６】
ここで、実施の形態２で説明したように、アンテナ当たり１つのＳＲＳを１つのサブフレーム内で送信する場合、巡回シフト系列のリソース消費が増えるため、符号多重の自由度が低下するという問題がある。例えば、図１１の通知ビット“０１”が指示された端末Ａは、以下のような巡回シフト量を用いる（図１４参照）。
【００８７】
ＣＳＡｎｔ＃１、Ｓｌｏｔ＃１＝ＣＳ
ＣＳＡｎｔ＃２、Ｓｌｏｔ＃１＝送信なし
ＣＳＡｎｔ＃１、Ｓｌｏｔ＃２＝送信なし
ＣＳＡｎｔ＃２、Ｓｌｏｔ＃２＝ＣＳ＋ΔＣＳ＋Ｏｆｆｓｅｔ
【００８８】
この場合、基地局は、ＣＳ＋ΔＣＳの巡回シフト量をＵＬグラントで別の端末Ｂに対して設定することができない。スロット１及びスロット２でＳＲＳを送信する端末Ｂに、ＣＳ＋ΔＣＳの巡回シフト量を設定すると、端末Ｂはスロット２でＣＳ＋ΔＣＳ＋Ｏｆｆｓｅｔの巡回シフト量を用いるので、端末Ｂのスロット２は端末Ａの巡回シフト量と衝突してしまう（図１５参照）。
【００８９】
そこで、実施の形態３に係る巡回シフト量設定部は、ＳＲＳを送信するアンテナをスロット間で入れ替える場合、ＳＲＳ用の巡回シフト量をアンテナ間で入れ替える。つまり、以下のように巡回シフト量を用いる（図１６参照）。
【００９０】
ＣＳＡｎｔ＃１、Ｓｌｏｔ＃１＝ＣＳ
ＣＳＡｎｔ＃２、Ｓｌｏｔ＃１＝送信なし
ＣＳＡｎｔ＃１、Ｓｌｏｔ＃２＝送信なし
ＣＳＡｎｔ＃２、Ｓｌｏｔ＃２→ＣＳＡｎｔ＃１、Ｓｌｏｔ＃２＝ＣＳ＋ΔＣＳ
【００９１】
同様に、図１１の通知ビット“１０”が指示された端末は、以下のような巡回シフト量を用いる。
【００９２】
ＣＳＡｎｔ＃１、Ｓｌｏｔ＃１＝送信なし
ＣＳＡｎｔ＃２、Ｓｌｏｔ＃１＝ＣＳ＋Ｏｆｆｓｅｔ
ＣＳＡｎｔ＃１、Ｓｌｏｔ＃２→ＣＳＡｎｔ＃２、Ｓｌｏｔ＃２＝ＣＳ＋ΔＣＳ＋Ｏｆｆｓｅｔ
ＣＳＡｎｔ＃２、Ｓｌｏｔ＃２＝送信なし
【００９３】
これにより、図１７に示すように、従来、ＳＲＳを送信しないアンテナで用いる巡回シフト量（ＣＳ又はＣＳ＋Ｏｆｆｓｅｔ）を他端末が利用できるので、巡回シフト系列のリソースを効率良く利用でき、複数の端末を柔軟に多重することができる。
【００９４】
このように実施の形態３によれば、端末の送信アンテナ数が２本であって、スロット１又はスロット２のいずれかでＳＲＳを送信する際、アンテナ間で異なるスロットが用いられる場合、ＳＲＳ用の巡回シフト量をアンテナ間で入れ替える。それにより、ＳＲＳを送信しないアンテナで用いる巡回シフト量を他端末が利用できるので、巡回シフト系列のリソースを効率良く利用でき、複数端末を柔軟に多重することができる。
【００９５】
なお、上記各実施の形態におけるスケジュールドＳＲＳは、ＵＬグラント（上り回線向けスケジューリング情報通知）で送信を促されるデータを付随しない参照信号を指し、この名称に限らず、別の名称であってもよい。例えば、“Aperiodic SRS”又は“Dynamic aperiodic sounding”又は“sounding via DMRS”であってもよい。
【００９６】
上記各実施の形態では、本発明をハードウェアで構成する場合を例にとって説明したが、本発明はソフトウェアで実現することも可能である。
【００９７】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９９】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１００】
なお、上記実施の形態ではアンテナとして説明したが、本発明はアンテナポート（antenna port）でも同様に適用できる。
【０１０１】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１０２】
例えば３ＧＰＰ ＬＴＥにおいては、アンテナポートが何本の物理アンテナから構成されるかは規定されず、基地局が異なる参照信号（Reference signal）を送信できる最小単位として規定されている。
【０１０３】
また、アンテナポートはプリコーディングベクトル（Precoding vector）の重み付けを乗算する最小単位として規定されることもある。
【０１０４】
２０１０年２月１０日出願の特願２０１０−０２７９５８の日本出願に含まれる明細書、図面及び要約書の開示内容は、すべて本願に援用される。
【産業上の利用可能性】
【０１０５】
本発明にかかる無線通信端末装置、無線通信基地局装置及び無線通信方法は、例えば、ＬＴＥ−Ａｄｖａｎｃｅｄなどの移動通信システムに適用できる。
【符号の説明】
【０１０６】
１０１、２０１  アンテナ
１０２、２０２  受信ＲＦ部
１０３  復調部
１０４  スケジューリング情報復号部
１０５、２０７、３０１、４０４  巡回シフト量設定部
１０６、２０６、３０２、４０３  ＳＲＳ送信制御部
１０７、３０３  ＲＳ生成部
１０８  位相回転部
１０９  マッピング部
１１０  ＩＦＦＴ部
１１１  ＣＰ付加部
１１２、３０５  送信電力制御部
１１３、３０６−１、３０６−２  送信ＲＦ部
２０３  ＣＰ除去部
２０４  ＦＦＴ部
２０５、４０２  スケジューリング情報保持部
２０８  デマッピング部
２０９  チャネル推定部
２１０、４０５  合成部
３０４−１、３０４−２  送信処理部
４０１−１、４０１−２  受信処理部
【図１】
0005580346.tif 000002
【図２】
0005580346.tif 000003
【図３】
0005580346.tif 000004
【図４】
0005580346.tif 000005
【図５】
0005580346.tif 000006
【図６】
0005580346.tif 000007
【図７Ａ】
0005580346.tif 000008
【図７Ｂ】
0005580346.tif 000009
【図８】
0005580346.tif 000010
【図９】
0005580346.tif 000011
【図１０】
0005580346.tif 000012
【図１１】
0005580346.tif 000013
【図１２】
0005580346.tif 000014
【図１３】
0005580346.tif 000015
【図１４】
0005580346.tif 000016
【図１５】
0005580346.tif 000017
【図１６】
0005580346.tif 000018
【図１７】
0005580346.tif 000019